(57)【要約】【課題】投影装置を提供する。【解決手段】投影装置は、筐体と、透光カバーと、光学系モジュールと、枠体と、投影装置及びメディアプレーヤ用の回路モジュールと、を含み、筐体は、開口を有し、透光カバーは、筐体の前記開口を覆うように筐体に配置され、光学系モジュールは、透光カバーを通過する投影ビームを提供し、筐体内に配置され、枠体は、光学系モジュールの天面に配置され、枠体は、天面から離れる方向に延在する複数の延在アームを含み、回路モジュールは、光学系モジュールを駆動し、パターン及び画像を復号して再生し、回路モジュールは、光学系モジュールの複数の側面及び底面の少なくとも２つに分布するように複数の延在アームに配置され、側面は天面に垂直である。投影装置の回路構造は非単一平面の分布に設計されているため、回路の設計及び区画は良好な空間利用率を有する。【選択図】図３Ａ
2020194163.tif 000002
【特許請求の範囲】
【請求項１】
筐体と、透光カバーと、光学系モジュールと、枠体と、投影装置及びメディアプレーヤ用の回路モジュールと、を含む投影装置であって、
前記筐体は、開口を有し、
前記透光カバーは、前記筐体の前記開口を覆うように前記筐体に配置され、
前記光学系モジュールは、前記透光カバーを通過する投影ビームを提供し、
前記光学系モジュールは前記筐体内に配置され、
前記枠体は、前記光学系モジュールの天面に配置され、
前記枠体は、前記天面から離れる方向に延在する複数の延在アームを含み、
前記投影装置及びメディアプレーヤ用の回路モジュールは、前記光学系モジュールを駆動し、パターン及び画像を復号して再生し、
前記投影装置及びメディアプレーヤ用の回路モジュールは、前記光学系モジュールの複数の側面及び底面の少なくとも２つに分布するように前記複数の延在アームに配置され、
前記複数の側面は、前記天面に垂直であることを特徴とする投影装置。
【請求項２】
前記投影装置及びメディアプレーヤ用の回路モジュールは、第１回路基板、第１接続部、及び第２回路基板を含み、
前記第１回路基板は、前記第１接続部を介して前記第２回路基板に接続され、
前記第１接続部は、フレキシブル回路基板であり、
前記第１接続部は、前記第１回路基板及び前記第２回路基板に垂直であることを特徴とする請求項１に記載の投影装置。
【請求項３】
前記第１回路基板、前記第１接続部及び前記第２回路基板は、立体的な回路構造を形成し、
前記第１回路基板は、前記光学系モジュールの前記複数の側面のうちの１つに分布するように２つの隣接する前記延在アームの間に配置され、
前記第２回路基板は、前記光学系モジュールの前記複数の側面のうちのもう１つに分布するようにもう２つの隣接する前記延在アームの間に配置され、
前記第１接続部は、吊り下がるように前記光学系モジュールの前記底面に分布していることを特徴とする請求項２に記載の投影装置。
【請求項４】
前記回路モジュールは、入力／出力駆動回路基板及び第２接続部をさらに含み、
前記入力／出力駆動回路基板は、前記光学系モジュールの前記天面に分布し、前記第２接続部を介して前記第１回路基板に接続され、
前記第２接続部は、フレキシブル回路基板であり、
前記入力／出力駆動回路基板は、前記第１回路基板に垂直であることを特徴とする請求項２に記載の投影装置。
【請求項５】
前記透光カバーは、接続ポートを有し、
前記入力／出力駆動回路基板は、入力部を含み、
前記入力部は、電源に接続されるように前記接続ポート内に延在することを特徴とする請求項４に記載の投影装置。
【請求項６】
前記光学系モジュールは、照明システム、ライトバルブ及び投影レンズを含み、
前記照明システムは、前記第１回路基板に接続され、
前記ライトバルブは、前記第２回路基板に接続されることを特徴とする請求項２に記載の投影装置。
【請求項７】
前記回路モジュールは、少なくとも１つの光源回路基板及び第３接続部をさらに含み、
前記少なくとも１つの光源回路基板は、前記照明システムに接続されるように前記光学系モジュールの前記複数の側面及び前記底面の少なくとも１つに分布し、前記第３接続部を介して前記第１回路基板に接続され、
前記第３接続部は、フレキシブル回路基板であり、
前記少なくとも１つの光源回路基板は、前記第１回路基板に垂直であることを特徴とする請求項６に記載の投影装置。
【請求項８】
前記回路モジュールは、ライトバルブ回路基板及び第４接続部をさらに含み、
前記ライトバルブ回路基板は、前記ライトバルブに接続されるように前記光学系モジュールの前記天面に分布し、前記第４接続部を介して前記第２回路基板に接続され、
前記第４接続部は、フレキシブル回路基板であり、
前記ライトバルブ回路基板は、前記第２回路基板に垂直であることを特徴とする請求項６に記載の投影装置。
【請求項９】
前記筐体、前記枠体及び前記ライトバルブ回路基板は、開口をそれぞれ有し、
前記投影装置は、前記光学系モジュールの前記天面に配置された放熱モジュールをさらに含み、
前記放熱モジュールの一方側の突起は、前記光学系モジュールの前記天面に接触するように、延在して前記ライトバルブ回路基板の前記開口を通過し、
前記放熱モジュールの他方側の突起は、前記筐体の前記開口に露出するように、延在して前記枠体の前記開口を通過することを特徴とする請求項８に記載の投影装置。
【請求項１０】
前記第１回路基板は、前記筐体の第１放熱部に貼り付けられた第１放熱部材を含むことを特徴とする請求項２に記載の投影装置。
【請求項１１】
前記第２回路基板は、前記筐体の第２放熱部に貼り付けられた少なくとも１つの第２放熱部材を含むことを特徴とする請求項２に記載の投影装置。
【請求項１２】
前記第２回路基板は、入力インターフェースを含み、
前記筐体は、インターフェース窓と、前記インターフェース窓を覆うための取り外し可能なカバープレートとを含む、ことを特徴とする請求項２に記載の投影装置。
【発明の詳細な説明】
【技術分野】
【０００１】
本発明は、光学装置に関し、特に投影装置に関する。
【背景技術】
【０００２】
投影装置は、大きいサイズの画面を生成するための表示装置であり、科学技術の進化及び革新に伴い、継続的に進歩している。投影装置の結像原理としては、照明システムにより生成された照明ビームをライトバルブを介して画像ビームに変換し、画像ビームを投影レンズを介して対象物（例えばスクリーン、地面又は壁面）に投射し、投影画面を形成する。現代の自動車のドアには、カーテシーランプなどの投影装置が配置されてもよく、運転者がドアを開くと、カーテシーランプは地面に特定のパターンを投射することができる。しかし、現在の技術では、カーテシーランプは、照明機能又は静止パターンの表示機能のみを持つ。
【０００３】
段落「背景技術」の内容は本発明の内容の理解を補助するためのものであり、「背景技術」段落に記載される内容は、当技術分野の常用知識を持っている者が把握していること以外の従来技術も含むことができる。「背景技術」段落に記載される内容について、「背景技術」の内容又は本発明の一個又は複数個の実施例が解決しようとする問題を代表するものは、本発明の出願前に当技術分野の常用知識を持っている者が既に把握又は承知しているものではない。
【発明の概要】
【発明が解決しようとする課題】
【０００４】
本発明は、回路構造を非単一平面の分布に設計することで、回路の設計及び区画が良好な空間利用率を有する投影装置を提供する。
【０００５】
本発明の他の目的及び利点は、本発明に開示されている手段からさらに明らかになる。
【課題を解決するための手段】
【０００６】
上記の目的の一つ、一部若しくは全部、又は他の目的を達成するため、本発明の実施例は、筐体と、透光カバーと、光学系モジュールと、枠体と、投影装置及びメディアプレーヤ用の回路モジュールと、を含む投影装置であって、前記筐体は、開口を有し、前記透光カバーは、前記筐体の前記開口を覆うように前記筐体に配置され、前記光学系モジュールは、前記透光カバーを通過する投影ビームを提供し、前記光学系モジュールは前記筐体内に配置され、前記枠体は、前記光学系モジュールの天面に配置され、前記枠体は、前記天面から離れる方向に延在する複数の延在アームを含み、前記投影装置及びメディアプレーヤ用の回路モジュールは、前記光学系モジュールを駆動し、パターン及び画像を復号して再生し、前記投影装置及びメディアプレーヤ用の回路モジュールは、前記光学系モジュールの複数の側面及び底面の少なくとも２つに分布するように前記複数の延在アームに配置され、前記複数の側面は、前記天面に垂直であることを特徴とする投影装置を提供する。
【発明の効果】
【０００７】
本発明の実施例は、少なくとも以下の１つの利点又は効果を有する。本発明の投影装置では、投影装置及びメディアプレーヤ用の回路モジュールは、枠体の天面及び隣接する複数の延在アームの間に配置されてもよい。これによって、回路構造を単一平面でなく、立体的な分布に設計することで、回路の設計及び区画が良好な空間利用率を有することができる。よって、回路の設計空間を増加させ、組み合わせの時間を節約し、体積を小さくすることができるため、全機能仕様を満たす設計目標を達成することができる。
【０００８】
本発明の上記及び他の目的、特徴及び利点をより明確に分かるように、図面を参照しながら、下記の好適な実施例に基づいて詳細に説明する。
【図面の簡単な説明】
【０００９】
【図１Ａ】図１Ａ及び図１Ｂはそれぞれ本発明の投影装置の異なる視野角で見た斜視図である。
【図１Ｂ】図１Ａ及び図１Ｂはそれぞれ本発明の投影装置の異なる視野角で見た斜視図である。
【図２Ａ】図２Ａ及び図２Ｂはそれぞれ図１Ａ及び図１Ｂの投影装置の部分分解斜視図である。
【図２Ｂ】図２Ａ及び図２Ｂはそれぞれ図１Ａ及び図１Ｂの投影装置の部分分解斜視図である。
【図３Ａ】図３Ａ及び図３Ｂはそれぞれ図１Ａ及び図１Ｂの投影装置の分解斜視図である。
【図３Ｂ】図３Ａ及び図３Ｂはそれぞれ図１Ａ及び図１Ｂの投影装置の分解斜視図である。
【図３Ｃ】本発明の他の投影装置の分解斜視図である。
【図４】本発明の実施例の投影装置の機能ブロック図である。
【発明を実施するための形態】
【００１０】
本発明の上記又は他の技術的内容、特徴及び効果は、以下の図面を参照しながら、好適な実施形態の詳細な説明に示されるように、明らかである。以下実施形態に言及される「上」、「下」、「左」、「右」、「前」、「後」等の方向の用語は、単なる図面を参照する際に、単なる方向を参考する説明用の用語であり、本発明は方向の用語に示されるものに限定されない。
【００１１】
図１Ａ及び図１Ｂはそれぞれ本発明の投影装置の異なる視野角で見た斜視図である。図２Ａ及び図２Ｂはそれぞれ図１Ａ及び図１Ｂの投影装置の部分分解斜視図である。図１Ａ〜図２Ｂに示すように、本実施例に係る投影装置１００は、自動車のドア又はバックミラーに取り付けられてもよく、様々なパターン、動画又は画像を投影する。これによって、使用者は、自動車により表示されるコンテンツ及び関連情報を取得することができ、斬新感を感じると共に、人の間の話題を増加させることができる。投影装置１００は、筐体１１０、透光カバー１２０及び投影モジュール１０５を含む。筐体１１０は、開口Ａを有する。投影モジュール１０５は筐体１１０内に配置される。筐体１１０は、非透光性の材質からなり、投影モジュール１０５を収容する。透光カバー１２０は、筐体１１０の開口Ａを覆うように筐体１１０に配置されている。透光カバー１２０は、透光性の材質からなり、投影モジュール１０５を覆うように筐体１１０の開口Ａに接続され、投影モジュール１０５により投射された光を通過させる。本実施例では、透光カバー１２０は接続ポートＤを有し、投影モジュール１０５がこの接続ポートＤを介して該部電源に接続されることで、投影モジュール１０５に電力を提供する。
【００１２】
図３Ａ及び図３Ｂはそれぞれ図１Ａ及び図１Ｂの投影装置の分解斜視図である。図１Ａ乃至図３Ｂに示すように、具体的に言えば、投影モジュール１０５は、光学系モジュール１３０、枠体（ｆｒａｍｅ）１４０、投影装置及びメディアプレーヤ用の回路モジュール１５０により構成される。言い換えれば、投影装置１００は、光学系モジュール１３０、枠体１４０、投影装置及びメディアプレーヤ用の回路モジュール１５０をさらに含む。図３Ａに示すように、光学系モジュール１３０は、筐体１１０内に配置され、透光カバー１２０を通過する投影ビームＬを提供する。光学系モジュール１３０は、天面Ｓ１、複数の側面Ｓ２、及び底面Ｓ３を有する。
【００１３】
光学系モジュール１３０は、照明システム１３２、ライトバルブ１３４及び投影レンズ１３６を含む。ここで、照明システムは、例えば、少なくとも１つの発光素子と少なくとも１つの光学素子との組み合わせであり、例えば発光ダイオード（Ｌｉｇｈｔ  ｅｍｉｔｔｉｎｇ  ｄｉｏｄｅ）又はレーザ光源（ｌａｓｅｒ  ｌｉｇｈｔ  ｓｏｕｒｃｅ）である。ライトバルブ１３４は、例えば、デジタルマイクロミラーデバイス（ＤＭＤ：Ｄｉｇｉｔａｌ  Ｍｉｃｒｏ−ｍｉｒｒｏｒ  Ｄｅｖｉｃｅ）又は液晶オンシリコン（ＬＣＯＳ：Ｌｉｑｕｉｄ  Ｃｒｙｓｔａｌ  ｏｎ  Ｓｉｌｉｃｏｎ）などの反射型光変調器であるが、本発明はこれに限定されない。投影レンズ１３６は、例えば、屈折度を有する１つ又は複数の光学レンズの組み合わせである。本実施例では、照明システム１３２はライトバルブ１３４へ照明ビームを提供し、ライトバルブ１３４は照明ビームを画像ビームに変換し、最後に、投影レンズ１３６は光学系モジュール１３０から外部へ画像ビームを投影し、投影ビームＬを形成する。ここで、ライトバルブ１３４により照明ビームを画像ビームに変換する方法、及び投影レンズ１３６により画像ビームを投影して投影ビームＬを形成する方法の詳細なステップ及び実施方法は従来技術を参照してもよく、ここでその説明を省略する。
【００１４】
枠体１４０は、光学系モジュール１３０の天面Ｓ１に配置され、天面Ｓ１から離れる方向（例えば、重力の方向）に延在する複数の延在アーム１４２を含む。具体的には、枠体１４０の作用として、投影装置及びメディアプレーヤ用の回路モジュール１５０の立体的な回路基板又は他の電子素子を枠体１４０に固定し、隣接する延在アーム１４２の間に固定することで、２つの隣接する延在アーム１４２に固定された投影装置及びメディアプレーヤ用の回路モジュール１５０の立体的な回路基板又は他の電子素子が筐体１１０の内壁に平行であるため、スペースを節約することができる。枠体１４０の材質は金属又はプラスチックであってもよいが、本発明はこれに限定されない。立体的な回路基板とは、複数の電子素子が回路基板に半田付けられ、組み付けられているものを意味する。
【００１５】
投影装置及びメディアプレーヤ用の回路モジュール１５０は、例えば中央処理装置（Ｃｅｎｔｒａｌ  Ｐｒｏｃｅｓｓｉｎｇ  Ｕｎｉｔ：ＣＰＵ）、又は他のプログラミング可能な汎用又は専用マイクロプロセッサ（Ｍｉｃｒｏｐｒｏｃｅｓｓｏｒ）、デジタル信号プロセッサ（Ｄｉｇｉｔａｌ  Ｓｉｇｎａｌ  Ｐｒｏｃｅｓｓｏｒ：ＤＳＰ）、プログラマブルコントローラ、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ：ＡＳＩＣ）、プログラマブルロジックデバイス（Ｐｒｏｇｒａｍｍａｂｌｅ  Ｌｏｇｉｃ  Ｄｅｖｉｃｅ：ＰＬＤ）又は他の同様な装置若しくはこれらの装置の組み合わせ、及び映像フォーマット及び音声フォーマットのものを復号、再生可能な再生チップ若しくは回路などを含むが、従来技術を参照してもよく、本発明はこれに限定されない。
【００１６】
投影装置及びメディアプレーヤ用の回路モジュール１５０は、光学系モジュール１３０を駆動し、パターン及び画像を復号して再生する。投影装置及びメディアプレーヤ用の回路モジュール１５０は、光学系モジュール１３０の複数の側面Ｓ２及び底面Ｓ３の少なくとも２つに分布するように延在アーム１４２に配置され、これらの側面Ｓ２は天面Ｓ１に垂直である。本実施例では、投影装置及びメディアプレーヤ用の回路モジュール１５０は、第１回路基板１５１、第１接続部１５２、及び第２回路基板１５３を含む。第１回路基板１５１は、第１接続部１５２を介して第２回路基板１５３に接続されている。第１接続部１５２は、フレキシブル回路基板であり、第１接続部１５２は、第１回路基板１５１及び第２回路基板１５３に垂直である。言い換えれば、第１回路基板１５１と第２回路基板１５３とは平行に設けられ、この２つの回路基板は、フレキシブルな第１接続部１５２により所定の角度だけ湾曲して立体的な形状の回路基板設計アーキテクチャを形成することができる。即ち、第１接続部１５２は第１回路基板１５１及び第２回路基板に対して垂直であり、Ｕ字形の立体的なプリント回路基板（Ｐｒｉｎｔｅｄ  Ｃｉｒｃｕｉｔ  Ｂｏａｒｄ：ＰＣＢ）／プリント回路基板アセンブリ（Ｐｒｉｎｔｅｄ  Ｃｉｒｃｕｉｔ  Ｂｏａｒｄ  Ａｓｓｅｍｂｌｙ：ＰＣＢＡ）回路設計アーキテクチャを形成する。
【００１７】
本実施例では、第１回路基板１５１及び第２回路基板１５３の長さは例えば３８ミリメートル（ｍｍ）程度であり、高さは２０ｍｍ程度であり、厚さは１．２ｍｍ程度である。第１回路基板１５１は、１つの４−ｐｉｎ（ピン）ドック及び１つの６−ｐｉｎドックを有し、第２回路基板１５３は、１つの５０−ｐｉｎドック及び１つの６−ｐｉｎドックを有する。他の実施例では、フレキシブル回路基板に置き換えられてもよいが、本発明はこれに限定されない。
【００１８】
例えば、本実施例では、第１回路基板１５１は、光学系モジュール１３０の複数の側面Ｓ２のうちの１つに分布するように２つの隣接する延在アーム１４２の間に配置されている。即ち、第１回路基板１５１は、光学系モジュール１３０の１つの側面に設けられている。第２回路基板１５３は、光学系モジュール１３０の複数の側面Ｓ２のうちのもう１つに分布するようにもう２つの隣接する延在アーム１４２の間に配置されている。即ち、第１回路基板１５１及び第２回路基板１５３は、光学系モジュール１３０の対向する２つの側面Ｓ２にそれぞれ配置されている。第１接続部１５２は、吊り下がるように光学系モジュール１３０の底面Ｓ３に分布しているが、本発明はこれに限定されない。ここで、第１回路基板１５１は照明システム１３２に電気的に接続され、第２回路基板１５３はライトバルブ１３４に電気的に接続されている。言い換えれば、第１回路基板１５１、第１接続部１５２及び第２回路基板１５３は、立体的な回路構造Ｃを形成し、例えば、複数の電子素子がプリント回路基板に組み付けられている構造（Ｐｒｉｎｔｅｄ  Ｃｉｒｃｕｉｔ  Ｂｏａｒｄ  Ａｓｓｅｍｂｌｙ：ＰＣＢＡ）である。従って、回路基板とフレキシブル回路基板とを組み合わせて、回路構造を単一平面でなく、立体的な分布に設計することで、回路の設計及び区画が良好な空間利用率を有することができる。これによって、回路の設計空間を増加させ、組み合わせの時間を節約し、体積を小さくすることができる。
【００１９】
本実施例では、第１回路基板１５１は、筐体１１０の第１放熱部１１２に貼り付けられた第１放熱部材１７２を含む。第２回路基板１５３は、筐体１１０の第２放熱部１１４に貼り付けられた少なくとも１つの第２放熱部材１７４を含む。第１放熱部材１７２及び第２放熱部材１７４は、例えば良好な熱伝導性を有する金属からなる放熱ブロックである。第１放熱部１１２及び第２放熱部１１４は、例えば良好な熱伝導性を有する金属からなる放熱板部材である。従って、部品を交換する必要がある場合、筐体１１０における第１放熱部１１２及び第２放熱部を取り外して、その後の交換作業を行ってもよい。また、本実施例では、第２回路基板１５３は、外部の制御装置（パーソナルコンピュータ又は手持ち制御装置）に接続され、機能テスト、ソフトウェア（Ｓｏｆｔｗａｒｅ：ＳＷ）、ファームウェア（Ｆｉｒｍｗａｒｅ：ＦＷ）の更新、又はデバッグを行う入力インターフェース１７６を含む。入力インターフェース１７６は、例えば直列（シリアル）周辺インターフェース（Ｓｅｒｉａｌ  Ｐｅｒｉｐｈｅｒａｌ  Ｉｎｔｅｒｆａｃｅ：ＳＰＩ）、汎用非同期送受信機（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ：ＵＡＲＴ）、ジョイントテストアクショングループ（Ｊｏｉｎｔ  Ｔｅｓｔ  Ａｃｔｉｏｎ  Ｇｒｏｕｐ：ＪＴＡＧ）又はユニバーサルシリアルバス（Ｕｎｉｖｅｒｓａｌ  Ｓｅｒｉａｌ  Ｂｕｓ：ＵＳＢ）などのドックである。筐体１１０は、インターフェース窓１１６、及びインターフェース窓１１６を覆うための取り外し可能なカバープレート１１８を含む。従って、機能テスト、ソフトウェアのアップグレード又はメンテナンスが必要な場合、筐体１１０から取り外し可能なカバープレート１１８を取り外し、外部の制御装置又は治具をインターフェース窓１１６を介して入力インターフェース１７６に接続してもよい。
【００２０】
本実施例では、投影装置及びメディアプレーヤ用の回路モジュール１５０は、入力／出力（Ｉ／Ｏ）駆動回路基板１５５及び第２接続部１５４をさらに含む。入力／出力駆動回路基板１５５は、光学系モジュール１３０の天面Ｓ１に分布し、第２接続部１５４を介して第１回路基板１５１に接続されている。第１接続部１５２と同様に、第２接続部１５４は、フレキシブル回路基板である。入力／出力駆動回路基板１５５は、第１回路基板１５１の法線方向に対して互いに垂直であるように設けられている。例えば、第２接続部１５４の一端は入力／出力駆動回路基板１５５に接続され、第２接続部１５４の他端は４−ｐｉｎのコンタクトで第１回路基板１５１の４−ｐｉｎドックに接続されている。入力／出力駆動回路基板１５５は入力部Ｅを含み、該入力部Ｅは、外部の電源に接続されるように透光カバー１２０の接続ポートＤ内に延在する。本実施例では、入力部Ｅは１つの２−ｐｉｎコンタクトであるが、本発明はこれに限定されない。
【００２１】
本実施例では、投影装置及びメディアプレーヤ用の回路モジュール１５０は、少なくとも１つの光源回路基板１５７及び第３接続部１５６をさらに含む。少なくとも１つの光源回路基板１５７は、照明システム１３２に接続されるように光学系モジュール１３０の側面Ｓ２及び底面Ｓ３の少なくとも１つに分布する。本実施例では、光源回路基板１５７の数は２つであり、光学系モジュール１３０の側面Ｓ２及び底面Ｓ３にそれぞれ分布している。２つの光源回路基板１５７は、第３接続部１５６を介して第１回路基板１５１に接続されている。第３接続部１５６は、フレキシブル回路基板である。２つの光源回路基板１５７は、それぞれ第１回路基板１５１の法線方向に対して互いに垂直である。例えば、第３接続部１５６は、２つの分岐部を有し、２つの光源回路基板１５７にそれぞれ接続され、第３接続部１５６の他端は、６−ｐｉｎのコンタクトで第１回路基板１５１の６−ｐｉｎドックに接続されている。
【００２２】
本実施例では、投影装置及びメディアプレーヤ用の回路モジュール１５０は、ライトバルブ回路基板１５９及び第４接続部１５８をさらに含む。ライトバルブ回路基板１５９は、ライトバルブ１３４に接続されるように光学系モジュール１３０の天面Ｓ１に分布している。ライトバルブ回路基板１５９は、第４接続部１５８を介して第２回路基板１５３に接続されている。第４接続部１５８は、フレキシブル回路基板である。ライトバルブ回路基板１５９は、第２回路基板１５３の法線方向に垂直である。例えば、第４接続部１５８の一端はライトバルブ回路基板１５９に接続され、第４接続部１５８の他端は５０−ｐｉｎのコンタクトで第２回路基板１５３の５０−ｐｉｎのドックに接続されているが、本発明はこれに限定されない。
【００２３】
本実施例では、投影装置１００は、ライトバルブ回路基板１５９に配置された放熱モジュール１６０をさらに含む。放熱モジュール１６０の一方側の突起は、延在して枠体１４０の開口Ｆを通過し、筐体１１０の上部の開口Ｇに露出して外部の空気と接触する。具体的には、放熱モジュール１６０は、例えば放熱シート及び放熱フィンにより構成された放熱素子を含み、放熱モジュール１６０の放熱フィンは枠体１４０の開口Ｆを通過して、筐体１１０の上部の開口Ｇで露出して外部の空気と接触する。放熱モジュール１６０の他方側の突起は、光学系モジュール１３０の一部の天面Ｓ１及びライトバルブ１３４の後端に接触するように、延在してライトバルブ回路基板１５９の開口Ｈを通過する。従って、放熱素子を枠体１４０に固定することで、ライトバルブ回路基板１５９及びライトバルブ１３４の放熱を行うことができる。
【００２４】
図３Ｃは本発明の他の投影装置の分解斜視図である。図３Ｃと図３Ａの立体的な差異として、本実施例では、図３に示すように、第１回路基板１５１は第４接続部１５８（例えばフレキシブル回路基板）を介してライトバルブ回路基板１５９に電気的に接続され、もう１つの第４接続部１５８を介して第２回路基板１５３に電気的に接続されている。言い換えれば、光学系モジュール１３０の天面Ｓ１に設けられたライトバルブ回路基板１５９は、左と右の２つのフレキシブル回路基板（第４接続部１５８）を介して第１回路基板１５１及び第２回路基板１５３に接続され、立体的な回路構造を形成することで、回路の設計空間を増加させ、組み合わせ時間を節約し、体積を減らすことができる。また、入力／出力駆動回路基板１５５は、回路基板の体積を減らすように、入力部Ｅを含み、ライトバルブ回路基板１５９と一体化しているが、本発明はこれに限定されない。
【００２５】
図４は本発明の実施例の投影装置の機能ブロック図である。図３Ａ〜図４に示すように、本実施例で示した回路機能は、少なくとも図３Ａ及び図３Ｂの投影装置１００に適用することができるため、図３Ａ及び図３Ｂの投影装置１００を一例にして説明する。本実施例では、第１回路基板１５１は、投影装置１００の電源及び光源駆動回路基板として、電力を各駆動回路基板に分配してもよい。第２回路基板１５３は、投影装置１００のメイン基板として、計算及び信号の処理を実行し、各駆動回路基板、及び復号、再生すべきパターン、動画又は画像を制御してもよい。入力／出力駆動回路基板１５５は、投影装置１００における外部電源に接続される回路基板として、外部の電力を第１回路基板１５１及び第２回路基板１５３に伝達してもよい。第１回路基板１５１及び第２回路基板１５３のうちの１つは第１電源回路及び第２電源回路を有してもよく、第１電源回路は外部電源から伝達された電力を受信し、電圧値を降圧し、第２電源回路は異なる電圧を異なる回路基板に分配する。光源回路基板１５７は、投影装置１００における照明システム１３２内の発光素子１７８と第１回路基板１５１とを接続させる回路基板として、信号を受信して照明システム１３２における発光素子１７８を駆動してもよい。図４に示すように、ライトバルブ回路基板１５９は、投影装置１００におけるライトバルブ１３４と第２回路基板１５３とを接続させる回路基板として、信号を受信してライトバルブ１３４を駆動してもよい。
【００２６】
また、第２回路基板１５３には、ライトバルブ回路基板１５９に接続されたライトバルブ１３４の温度変化を検出するための温度検出回路が設けられている。
【００２７】
以上のことから、本発明の実施例は、少なくとも以下の１つの利点又は効果を有する。本発明の投影装置では、投影装置及びメディアプレーヤ用の回路モジュールは、枠体の天面及び隣接する複数の延在アームの間に配置されてもよい。これによって、回路構造を単一平面でなく、立体的な分布に設計することで、回路の設計及び区画が良好な空間利用率を有することができる。よって、回路の設計空間を増加させ、組み合わせの時間を節約し、体積を小さくすることができるため、全機能仕様を満たす設計目標を達成することができる。
【００２８】
上記の説明は、本発明の好適な実施例に過ぎず、本発明の実施の範囲がこれらに限定されず、本発明の特許請求の範囲及び明細書の内容に基づいて、当業者によって何れの変更及び修飾が可能であり、本発明の保護範囲は特許請求の範囲を基準とする。また、本発明の実施例又は特許請求の範囲は何れも本発明により開示された目的又は利点又は特徴の全てを必ずしも実現する必要はない。また、要約部分と発明の名称は単に特許文献のサーチ作業を補助するためのものであり、本発明の権利範囲を限定するものではない。また、本明細書又は特許請求の範囲における「第１」、「第２」等の用語は単なる素子（ｅｌｅｍｅｎｔ）の名称を命名する或いは異なる実施例又は範囲を区別するためのものであり、部材の数の上限又は下限を限定するものではない。
【符号の説明】
【００２９】
１００    投影装置
１０５    投影モジュール
１１０    筐体
１１２    第１放熱部
１１４    第２放熱部
１１６    インターフェース窓
１１８    取り外し可能なカバープレート
１２０    透光カバー
１３０    光学系モジュール
１３２    照明システム
１３４    ライトバルブ
１３６    投影レンズ
１４０    枠体
１４２    延在アーム
１５０    投影装置及びメディアプレーヤ用の回路モジュール
１５１    第１回路基板
１５２    第１接続部
１５３    第２回路基板
１５４    第２接続部
１５５    入力／出力駆動回路基板
１５６    第３接続部
１５７    光源回路基板
１５８    第４接続部
１５９    ライトバルブ回路基板
１６０    放熱モジュール
１７２    第１放熱部材
１７４    第２放熱部材
１７６    入力インターフェース
１７８    発光素子
Ａ、Ｆ、Ｇ、Ｈ    開口
Ｃ    立体的な回路構造
Ｄ    接続ポート
Ｅ    入力部
Ｌ    投影ビーム
Ｓ１    天面
Ｓ２    側面
Ｓ３    底面
【図１Ａ】
2020194163.tif 000003
【図１Ｂ】
2020194163.tif 000004
【図２Ａ】
2020194163.tif 000005
【図２Ｂ】
2020194163.tif 000006
【図３Ａ】
2020194163.tif 000007
【図３Ｂ】
2020194163.tif 000008
【図３Ｃ】
2020194163.tif 000009
【図４】
2020194163.tif 000010
【外国語明細書】
2020194163000001.pdf